(57)【要約】【課題】放熱部の冷却効率を高めつつ、筐体内の温度上昇を防止できる低騒音の電子機器を得ることにある。【解決手段】電子機器(1)は、吸気孔(79)および排気孔(84)を有する筐体(2)と、筐体(2)に収容される発熱体(10, 11)と、筐体(2)に収容され、発熱体(10, 11)に熱的に接続される受熱部(16, 17)と、筐体(2)内において吸気孔(79)の近傍に配置され、吸気孔(79)から冷却風を吸い込むファン(66)と、筐体(2)に収容され、発熱体(10, 11)の熱を放出する放熱部(65)とを備えている。放熱部(65)は、吸気孔(79)とファン(66)との間に配置されている。受熱部(16, 17)は、ファン(66)から排気孔(84)に至る冷却風の吐出領域(85)に配置されている。【選択図】      図２
2007094648.tif 000002
【特許請求の範囲】
【請求項１】
吸気孔および排気孔を有する筐体と、
上記筐体に収容される発熱体と、
上記筐体に収容され、上記発熱体に熱的に接続される受熱部と、
上記筐体内において上記吸気孔の近傍に配置され、上記吸気孔から冷却風を吸い込むファンと、
上記筐体に収容され、上記発熱体の熱を放出する放熱部と、を具備し、
上記放熱部は、上記吸気孔と上記ファンとの間に配置され、上記受熱部は、上記ファンから上記排気孔に至る冷却風の吐出領域に配置されていることを特徴とする電子機器。
【請求項２】
請求項１の記載において、上記放熱部は、上記吸気孔を上記筐体の内側から覆うことを特徴とする電子機器。
【請求項３】
請求項１の記載において、上記筐体は、(1)上記吐出領域から外れて位置する他の発熱体と、(2)上記他の発熱体の熱を受熱する受熱端部と、上記他の発熱体の熱を放出する放熱端部とを有するヒートパイプと、(3)上記ヒートパイプの放熱端部に熱的に接続された放熱フィンとを収容するとともに、上記ヒートパイプの放熱端部および上記放熱フィンが上記吐出領域に位置することを特徴とする電子機器。
【請求項４】
吸気孔および排気孔を有する筐体と、
上記筐体に収容される発熱体と、
上記筐体に収容され、上記発熱体の熱を受ける受熱部と、
上記筐体内において上記吸気孔の近傍に配置され、上記吸気孔から冷却風を吸い込むファンと、
上記筐体に収容され、上記発熱体の熱を放出する放熱部と、
上記受熱部と上記放熱部との間で液状冷媒を循環させ、この液状冷媒を介して上記受熱部に伝えられた上記発熱体の熱を上記放熱部に移送する循環経路と、を具備し、
上記放熱部は、上記吸気孔と上記ファンとの間に配置され、上記受熱部は、上記ファンから上記排気孔に至る冷却風の吐出領域に配置されていることを特徴とする電子機器。
【請求項５】
請求項４の記載において、上記受熱部および上記放熱部は、夫々液状冷媒を貯えるリザーブタンクを有し、各リザーブタンクは、液状冷媒に含まれる気体成分を分離する気液分離手段を有することを特徴とする電子機器。
【請求項６】
請求項４の記載において、上記循環経路は、上記放熱部で冷やされた液状冷媒を上記受熱部に導く部分に液状冷媒を貯えるリザーブタンクを有し、このリザーブタンクは、液状冷媒に含まれる気体成分を分離する気液分離手段を有することを特徴とする電子機器。
【請求項７】
請求項４の記載において、上記受熱部は、液状冷媒を加圧して送り出すポンプを有することを特徴とする電子機器。
【請求項８】
請求項１又は請求項４の記載において、上記放熱部および上記ファンは、フレームを介して一体的に連結され、これら放熱部とファンとの間に隙間が形成されているとともに、この隙間は上記フレームによって取り囲まれていることを特徴とする電子機器。
【発明の詳細な説明】
【技術分野】
【０００１】
本発明は、例えばＣＰＵのような発熱する電子部品を搭載した電子機器に係り、特に電子部品の冷却効率を高めるための構造に関する。
【背景技術】
【０００２】
電子機器に用いられるＣＰＵやＶＧＡコントローラのような電子部品は、高密度実装や高機能化に伴って発熱量が急増する傾向にある。電子部品の温度が高くなり過ぎると、電子部品の効率的な動作が失われたり、動作不能に陥るといった不具合が生じてくる。
【０００３】
この熱対策として、従来の電子機器は、その外郭となる筐体に吸気孔および排気孔を形成するとともに、筐体の内部に電子部品を強制的に冷却する冷却装置を収容している。冷却装置は、電子部品の熱を受ける受熱部と、電子部品の熱を放出する放熱部と、上記受熱部に伝えられた電子部品の熱を上記放熱部に移送する熱移送手段と、上記放熱部に冷却風を送風するファンとを備えている。
【０００４】
従来の電子機器では、放熱部およびファンは、排気孔に隣り合うように筐体の内部に設置されている。ファンは、筐体の内部の空気を吸い込んで放熱部に吹き付ける。放熱部に吹き付けられた空気は、放熱部との熱交換により暖められるとともに、排気孔を通じて筐体の外に吐き出される。
【０００５】
ところが、筐体の内部には、動作中に発熱する回路部品やドライブユニットが存在するので、筐体内の空気の温度は、回路部品やドライブユニットの熱影響を受けて既に上昇していることになる。このため、ファンは筐体内の暖かい空気を吸い込んで放熱部に吹き付けることになり、この空気と放熱部との温度差が少なくなる。よって、放熱部を効率良く冷却することができなくなる。
【０００６】
この改善策として、筐体の吸気孔の近傍にファンおよび放熱部を配置した電子機器が知られている。この電子機器によると、ファンは筐体の外の冷たい空気を吸い込んで放熱部に吹き付けるので、放熱部を効率良く冷却することができる（例えば、特許文献１参照）。
【特許文献１】特開平８−１６２５７６号公報
【発明の開示】
【発明が解決しようとする課題】
【０００７】
特許文献１に開示された電子機器では、ファンが放熱部よりも空気の送風方向に沿う上流に位置し、ファンの羽根車が吸気孔に面している。言い換えると、放熱部がファンよりも筐体の奥方に入り込んでいるので、放熱部からの輻射熱が筐体の内部に籠り易くなる。したがって、放熱部の雰囲気温度が高くなり、放熱部の冷却効率を高める上で不利な構成となる。
【０００８】
加えて、ファンの羽根車が吸気孔から見えるので、特にファンを高速回転させた時に、ファンの運転音が吸気孔から筐体の外に直接漏れてしまう。この結果、ファンの運転音が騒音となり、不快感を招く原因となるといった不具合がある。
【０００９】
本発明の目的は、放熱部の冷却効率を高めつつ、筐体内の温度上昇を防止でき、しかも、騒音問題を解消できる電子機器を得ることにある。
【課題を解決するための手段】
【００１０】
上記目的を達成するため、本発明の一つの形態に係る電子機器は、  
吸気孔および排気孔を有する筐体と、  
上記筐体に収容される発熱体と、  
上記筐体に収容され、上記発熱体に熱的に接続される受熱部と、  
上記筐体内において上記吸気孔の近傍に配置され、上記吸気孔から冷却風を吸い込むファンと、  
上記筐体に収容され、上記発熱体の熱を放出する放熱部と、を備えている。  
上記放熱部は、上記吸気孔と上記ファンとの間に配置され、上記受熱部は、上記ファンから上記排気孔に至る冷却風の吐出領域に配置されていることを特徴としている。
【発明の効果】
【００１１】
本発明によれば、筐体の外の空気で放熱部を効率良く冷却しつつ、筐体内の温度上昇を防止することができる。しかも、吸気孔が筐体の内側から放熱部で覆われるので、ファンの運転音を放熱部で遮ることができる。
【発明を実施するための最良の形態】
【００１２】
以下本発明の第１の実施の形態を、図１ないし図１０に基づいて説明する。
【００１３】
図１は電子機器の一例である据え置き形のコンピュータ１を開示している。コンピュータ１は、例えば机の天板の上に置かれる筐体２を有している。筐体２は、底壁３、上壁４、前壁５、左右の側壁６ａ，６ｂおよび後壁７を有する中空の箱状をなしている。
【００１４】
筐体２は、プリント回路基板８を収容している。プリント回路基板８は、側壁６ａ，６ｂと平行となるように筐体２の奥行き方向に沿って垂直に起立している。
【００１５】
プリント回路基板８は、第１の面８ａと、この第１の面８ａの反対側に位置する第２の面８ｂとを有している。プリント回路基板８の第１の面８ａに第１の発熱体１０および第２の発熱体１１が実装されている。
【００１６】
第１の発熱体１０は、例えばＶＧＡコントローラを構成する半導体パッケージである。第２の発熱体１１は、例えばＣＰＵを構成するＢＧＡ形の半導体パッケージである。第１および第２の発熱体１０，１１は、プリント回路基板８の中央部で互いに隣り合っている。
【００１７】
図４に示すように、第２の発熱体１１は、ベース基板１２とＩＣチップ１３とを有している。ベース基板１２は、プリント回路基板８の第１の面８ａに半田付けされている。ＩＣチップ１３は、ベース基板１２の中央部に実装されている。第２の発熱体１１は、ＩＣチップ１３の処理速度の高速化や多機能化に伴って、動作中の発熱量が第１の発熱体１０よりも大きくなっている。第１および第２の発熱体１０，１１は、共に安定した動作を維持するために冷却を必要としている。
【００１８】
図２に示すように、プリント回路基板８の第１の面８ａおよび第２の面８ｂに他の発熱体としての複数の電子部品１４が実装されている。電子部品１４は、第１および第２の発熱体１０，１１の下方に位置するとともに、動作中の発熱量が第１および第２の発熱体１０，１１よりも小さくなっている。
【００１９】
図１および図２に示すように、コンピュータ１の筐体２は、例えば水あるいは不凍液のような液状冷媒を用いて第１および第２の発熱体１０，１１を冷却する液冷式の冷却装置１５を搭載している。冷却装置１５は、第１の受熱部１６、第２の受熱部１７、放熱ユニット１８および循環経路１９を備えている。
【００２０】
図３に示すように、第１の受熱部１６は、受熱ケーシング２０を有している。受熱ケーシング２０は、第１の発熱体１０よりも一回り大きい偏平な四角い箱形であり、例えばアルミニウム合金のような熱伝導率の高い金属材料で造られている。
【００２１】
受熱ケーシング２０の内部に複数のガイド壁２１が形成されている。ガイド壁２１は、受熱ケーシング２０の内部に液状冷媒が流れる冷媒流路２２を規定している。冷媒流路２２は、蛇行状に折れ曲がっている。
【００２２】
受熱ケーシング２０は、冷媒流路２２の上流端に位置する流入口２３と、冷媒流路２２の下流端に位置する流出口２４とを有している。流入口２３および流出口２４は、受熱ケーシング２０の側面から同一方向に向けて突出している。
【００２３】
さらに、受熱ケーシング２０は、四つの舌片２５を有している。舌片２５は、受熱ケーシング２０の四つの角部から受熱ケーシング２０の周囲に張り出すとともに、夫々ねじ２６を介してプリント回路基板８に固定されている。これにより、受熱ケーシング２０は、第１の発熱体１０を覆うような姿勢でプリント回路基板８に保持されて、第１の発熱体１０に熱的に接続されている。
【００２４】
図４ないし図７に示すように、第２の受熱部１７は、第１の受熱部１６から独立した別の構成要素であって、熱交換型ポンプ３０を内蔵している。熱交換型ポンプ３０は、受熱ケーシングを兼ねるポンプケーシング３１を備えている。
【００２５】
ポンプケーシング３１は、ケーシング本体３２および受熱カバー３３を有している。ケーシング本体３２は、第２の発熱体１１よりも一回り大きい偏平な四角形の箱形であり、例えば耐熱性を有する合成樹脂材料で造られている。
【００２６】
ケーシング本体３２は、第１の凹部３４と第２の凹部３５とを有している。第１の凹部３４および第２の凹部３５は、ケーシング本体３２の厚み方向に沿うように互いに逆向きに開口している。第２の凹部３５は、円筒状の周壁３６と、周壁３６の一端に位置する円形の端壁３７とを有している。周壁３６および端壁３７は、第１の凹部３４の内側に位置している。
【００２７】
受熱カバー３３は、例えば銅あるいはアルミニウムのような熱伝導性の高い金属材料で造られている。受熱カバー３３は、第１の凹部３４の開口端を塞ぐようにケーシング本体３２に固定されている。受熱カバー３３は、ポンプケーシング３１の外に露出する平坦な受熱面３８を有している。受熱カバー３３の四つの角部に夫々舌片３９が形成されている。舌片３９は、ケーシング本体３２の周囲に張り出している。
【００２８】
図４および図７に示すように、ケーシング本体３２は、円筒状の周壁４１を有している。周壁４１は、第２の凹部３５の周壁３６を同軸状に取り囲むとともに、その下端が受熱カバー３３に接着されている。周壁４１は、第１の凹部３４の内部をポンプ室４２とリザーブタンク４３とに仕切っている。
【００２９】
ポンプ室４２に羽根車４４が収容されている。羽根車４４は、第２の凹部３５の端壁３７と受熱カバー３３との間で回転自在に支持されている。リザーブタンク４３は、液状冷媒を貯えるためのものであり、ポンプ室４２を取り囲んでいる。
【００３０】
ケーシング本体３２に羽根車４４を回転させる偏平モータ４６が組み込まれている。偏平モータ４６は、ロータ４７およびステータ４８を有している。ロータ４７は、羽根車４４の外周部に同軸状に固定されて、ポンプ室４２の外周部に位置している。ロータ４７の内側にマグネット４９が嵌め込まれている。マグネット４９は、ロータ４７および羽根車４４と一体に回転するようになっている。
【００３１】
ステータ４８は、ケーシング本体３２の第２の凹部３５に収容されている。ステータ４８は、ロータ４７のマグネット４９の内側に同軸状に位置している。第２の凹部３５の周壁３６は、ステータ４８とマグネット４９との間に介在されている。第２の凹部３５の開口端は、ステータ４８を覆うバックプレート５０によって塞がれている。
【００３２】
ステータ４８に対する通電は、例えばコンピュータ１の電源投入と同時に行われる。この通電により、ステータ４８の周方向に回転磁界が発生し、この磁界とロータ４７のマグネット４９とが磁気的に結合する。この結果、ステータ４８とマグネット４９との間にロータ４７の周方向に沿うトルクが発生し、羽根車４４が回転する。
【００３３】
図５ないし図７に示すように、ケーシング本体３２は、液状冷媒を吸い込む吸込口５２と、液状冷媒を吐き出す吐出口５３とを備えている。吸込口５２および吐出口５３は、ケーシング本体３２の側面から同一方向に向けて突出している。
【００３４】
吸込口５２は、第１の接続通路５４を介してポンプ室４２に連なっている。吐出口５３は、第２の接続通路５５を介してポンプ室４２に連なっている。第１および第２の接続通路５４，５５は、リザーブタンク４３の内部を横切っている。第１の接続通路５４は、気液分離用の通孔５６を有している。通孔５６は、リザーブタンク４３の内部に開口するとともに、常にリザーブタンク４３に貯えられる液状冷媒の液面下に位置するようになっている。
【００３５】
図４に示すように、第２の受熱部１７は、熱交換型ポンプ３０の受熱カバー３３を第２の発熱体１１に向けた姿勢でプリント回路基板８に取り付けられている。プリント回路基板８の第２の面８ｂに金属製の補強板５８が重ね合わされている。補強板５８は、プリント回路基板８を間に挟んで熱交換型ポンプ３０と向かい合うとともに、上記ポンプケーシング３１の四つの舌片３９に対応する位置にナット５９を有している。
【００３６】
ポンプケーシング３１の舌片３９にねじ６０が挿通されている。ねじ６０は、プリント回路基板８を貫通してナット５９にねじ込まれている。このねじ込みにより、熱交換型ポンプ３０と一体の第２の受熱部１７が第２の発熱体１１を覆うような姿勢でプリント回路基板８に保持される。この結果、受熱カバー３３の受熱面３８が第２の発熱体１１のＩＣチップ１３に熱的に接続される。
【００３７】
図１および図２に示すように、冷却装置１５の放熱ユニット１８は、筐体２の前端下部に設置されている。放熱ユニット１８は、第１および第２の発熱体１０，１１の熱を放出するためのものであり、放熱部としてのラジエータ６５と軸流ファン６６とを備えている。図８に示すように、ラジエータ６５は、ラジエータコア６７、流入タンク６８、流出タンク６９およびリザーブタンク７０を備えている。
【００３８】
ラジエータコア６７は、液状冷媒が流れる複数の第１の水管７１、液状冷媒が流れる複数の第２の水管７２および複数のフィン７３を有している。第１および第２の水管７１，７２は、互いに間隔を存して一列に並んでいるとともに、筐体２の高さ方向に沿って起立している。フィン７３は、隣り合う水管７１，７２の間に介在されて、水管７１，７２に熱的に接続されている。第１および第２の水管７１，７２の下端は、ロアプレート７４によって連結されている。同様に第１および第２の水管７１，７２の上端は、アッパプレート７５によって連結されている。
【００３９】
流入タンク６８および流出タンク６９は、夫々ロアプレート７４の下面にろう付けされて、第１および第２の水管７１，７２の配列方向に並んでいる。流入タンク６８は、第１の水管７１の配列領域に対応するような大きさであり、この流入タンク６８の中央部に冷媒入口７６が形成されている。第１の水管７１の下端は、流入タンク６８内に開口している。
【００４０】
流出タンク６９は、第２の水管７２の配列領域に対応するような大きさであり、この流出タンク６９の中央部に冷媒出口７７が形成されている。第２の水管７２の下端は、流出タンク６９内に開口している。
【００４１】
図９に示すように、リザーブタンク７０は、アッパプレート７５の上面にろう付けされている。リザーブタンク７０は、第１および第２の水管７１，７２の配列領域に跨るような大きさを有するとともに、ラジエータコア６７の幅方向に沿って延びている。第１の水管７１の上端および第２の水管７２の上端は、リザーブタンク７０内に開口している。
【００４２】
液状冷媒は、冷媒入口７６から流入タンク６８に導かれるとともに、第１の水管７１の下端に流れ込む。液状冷媒は、第１の水管７１を下から上に向けて流れた後、リザーブタンク７０内に吐き出される。リザーブタンク７０内に吐き出された液状冷媒は、このリザーブタンク７０に一時的に貯えられるとともに、第２の水管７２の上端に流れ込む。液状冷媒は、第２の水管７２を上から下に向けて流れた後、流出タンク６９内に吐き出される。
【００４３】
図９に示すように、第１および第２の水管７１，７２の上端は、リザーブタンク７０に貯えられる液状冷媒の液面Ｌ１よりも下方に位置している。リザーブタンク７０の上面と液状冷媒の液面Ｌ１との間には、空気溜まり７８が形成されている。
【００４４】
このため、第１の水管７１からリザーブタンク７０内に吐き出される液状冷媒に、例えば気泡のような気体成分が含まれていた場合、気体成分は液状冷媒が第２の水管７２に流れ込むまでの過程において液状冷媒から分離し、空気溜まり７８に放出される。
【００４５】
したがって、本実施の形態のリザーブタンク７０は、ラジエータ６５に導かれた液状冷媒から気体成分を分離させる気液分離手段を兼ね備えている。
【００４６】
なお、筐体２の内部のレイアウトによっては、第１および第２の水管７１，７２が水平となるようにラジエータ６５を横置きの姿勢で設置することがあり得る。この場合においては、第２の水管７２が第１の水管７１の下方に位置するようにラジエータ６５の向きを規定する。これにより、リザーブタンク７０内に開口する第２の水管７２の端部が図９に二点鎖線で示す液状冷媒の液面Ｌ２の下方に位置する。
【００４７】
そのため、第１の水管７１からリザーブタンク７０内に吐き出される液状冷媒に気泡が含まれていても、この気泡はリザーブタンク７０内で液状冷媒から分離されることになる。
【００４８】
このような構成のラジエータ６５は、筐体２の前壁５に沿うように起立するとともに、前壁５に開けた複数の吸気孔７９の近傍に位置している。言い換えると、ラジエータ６５は吸気孔７９と向かい合うとともに、この吸気孔７９を筐体２の内側から覆っている。
【００４９】
放熱ユニット１８の軸流ファン６６は、四角いファンケース８１と、このファンケース８１に収容された羽根車８２と、この羽根車８２を回転させるモータ８３とを有している。羽根車８２は、その回転軸線Ｏ１が筐体２の奥行き方向に沿うような横置きの姿勢でファンケース８１に支持されている。
【００５０】
軸流ファン６６は、ラジエータ６５の背後に設置されて、ラジエータ６５よりも筐体２の内側に入り込んでいる。言い換えると、ラジエータ６５は、吸気孔７９と軸流ファン６５との間に配置されている。これにより、軸流ファン６５の羽根車８２がラジエータ６５を間に挟んで吸気孔７９と向かい合っている。
【００５１】
羽根車８２が回転すると、筐体２の吸気孔７９に負圧が作用し、筐体２の外の空気が吸気孔７９に吸い込まれる。この吸い込まれた空気は、冷却風となってラジエータコア６７を通過するとともに、ファンケース８１から筐体２の内部に吐き出される。ラジエータコア６７との熱交換により暖められた冷却風は、プリント回路基板８や第１および第２の受熱部１６，１７の周囲を通って筐体２の後端に到達する。この冷却風は、筐体２の後壁７に開けた複数の排気孔８４から筐体２の外に排出される。
【００５２】
図２に矢印Ｂで示すように、軸流ファン６６から吐き出された冷却風は、筐体２の内部の吐出領域８５を流れる。吐出領域８５は、軸流ファン６６の吐出端と筐体２の後壁７との間に規定されており、この吐出領域８５の下流端に排気孔８４が位置している。
【００５３】
本実施の形態によると、排気孔８４は、後壁７の略全面に亘って分散するように形成されている。このため、吐出領域８５は、軸流ファン６６から排気孔８４の方向に進むに従い次第に筐体２の高さ方向に広がっている。第１および第２の発熱体１０，１１、第１および第２の受熱部１６，１７、動作中に発熱を伴う電子部品１４は、吐出領域８５に位置するとともに、この吐出領域８５を流れる冷却風に直接晒されるようになっている。
【００５４】
図１および図２に示すように、冷却装置１５の循環経路１９は、液状冷媒を循環させるためのものであり、第１の受熱部１６、第２の受熱部１７およびラジエータ６５の間を直列に接続している。
【００５５】
循環経路１９は、第１ないし第３のチューブ９１，９２，９３を有している。第１ないし第３のチューブ９１，９２，９３は、例えばゴムあるいは合成樹脂のような可撓性材料で造られている。
【００５６】
第１のチューブ９１は、ラジエータ６５の冷媒出口７７と熱交換型ポンプ３０の吸込口５２との間を接続している。第２のチューブ９２は、熱交換型ポンプ３０の吐出口５３と第１の受熱部１６の流入口２３との間を接続している。第３のチューブ９３は、第１の受熱部１６の流出口２４とラジエータ６５の冷媒入口７６との間を接続している。
【００５７】
ラジエータ６５の冷媒出口７７から流出する液状冷媒は、第２の受熱部１７を経由して第１の受熱部１６に導かれた後、ラジエータ６５の冷媒入口７６に戻る。よって、第２の受熱部１７は、第１の受熱部１６よりも液状冷媒の流れ方向に沿う上流であり、かつラジエータ６５よりも液状冷媒の流れ方向に沿う下流に位置している。
【００５８】
図２および図１０に示すように、プリント回路基板８の第１の面８ａに補助冷却装置９５が実装されている。補助冷却装置９５は、プリント回路基板８および電子部品１４の放熱を促進させるためのものであって、ヒートパイプ９６と複数の放熱フィン９７とを備えている。
【００５９】
ヒートパイプ９６は、受熱端部９６ａと放熱端部９６ｂとを有するとともに、これら両端部９６ａ，９６ｂが互いに直交する位置関係となるように略直角に折れ曲がっている。ヒートパイプ９６の受熱端部９６ａは、ヒートパイプホルダ９７を介してプリント回路基板８の第１の面８ａに熱的に接続されている。受熱端部９６ａとプリント回路基板８との熱接続部分は、電子部品１４の近傍に位置している。ヒートパイプ９６の放熱端部９６ｂは、プリント回路基板８の第１の面８ａから筐体２の側壁６ａに向けて突出するとともに、上記吐出領域８５に張り出している。
【００６０】
放熱フィン９７は、ヒートパイプ９６の放熱端部９６ｂに熱的に接続されている。放熱フィン９７は、放熱端部９６ｂの軸方向に間隔を存して並んでいるとともに、上記吐出領域８５に露出している。
【００６１】
電子部品１４が発熱すると、この電子部品１４の熱はプリント回路基板８に伝わる。これにより、プリント回路基板８が局部的に高温となり、このプリント回路基板８の熱がヒートパイプ９６の受熱端部９６ａに伝わる。この熱伝導により、受熱端部９６ａに封入された作動液が過熱されて蒸気となる。この蒸気は受熱端部９６ａから放熱端部９６ｂに向けて流れるとともに、放熱端部９６ｂで凝縮する。凝縮により放出された熱は、放熱フィン９７に伝わるとともに、放熱フィン９７の表面から吐出領域８５を流れる冷却風の流れに乗じて放出される。
【００６２】
放熱端部９６ｂで液化された作動液は、毛細管力により受熱端部９６ａに戻り、再びプリント回路基板８の熱を受ける。この作動液の蒸発・凝縮の繰り返しにより、プリント回路基板８に伝わる電子部品１４が放熱フィン９７に移送される。
【００６３】
このような補助冷却装置９５をプリント回路基板８に付設することで、プリント回路基板８に伝わる電子部品１４の熱を吐出領域８５に移して、ここから積極的に放出することができる。よって、電子部品１４の放熱性能が向上するとともに、プリント回路基板８の局部的な過熱を回避できる。
【００６４】
次に、冷却装置１５の動作について説明する。
【００６５】
コンピュータ１の使用中においては、第１の発熱体１０および第２の発熱体１１が発熱する。第１の発熱体１０が発する熱は、第１の受熱部１６の受熱ケーシング２０に伝わる。受熱ケーシング２０内の冷媒流路２２は液状冷媒で満たされているので、この液状冷媒が受熱ケーシング２０に伝わる第１の発熱体１０の熱を吸収する。
【００６６】
一方、第２の発熱体１１が発する熱は、受熱面３８を通じて熱交換型ポンプ３０のポンプケーシング３１に伝わる。ポンプケーシング３１内のポンプ室４２およびリザーブタンク４３は液状冷媒で満たされているので、この液状冷媒がポンプケーシング３１に伝わる第２の発熱体１１の熱を吸収する。
【００６７】
熱交換型ポンプ３０の羽根車４４が回転すると、ポンプ室４２に充填された液状冷媒に運動エネルギが付与され、この運動エネルギによりポンプ室４２内の液状冷媒の圧力が高まる。加圧された液状冷媒は、ポンプ室４２から第２の接続通路５５を介して吐出口５３に押し出される。
【００６８】
言い換えると、ポンプ室４２内の液状冷媒は、第２の発熱体１１の熱を奪いながら回転する羽根車４４により加圧される。このため、ポンプ室４２を流れる液状冷媒の流速が早くなり、ポンプケーシング３１から液状冷媒への熱伝達が効率良く行われる。
【００６９】
ポンプ室４２で加圧された液状冷媒は、吐出口５３から第２のチューブ９２を介して第１の受熱部１６の冷媒流路２２に流れ込む。液状冷媒は、冷媒流路２２を流れる過程で受熱ケーシング２０に伝わる第１の発熱体１０の熱を吸収する。
【００７０】
液状冷媒が第１の受熱部１６の冷媒流路２２に流れ込む時点では、液状冷媒の温度は第２の受熱部１７での受熱作用によって上昇している。しかしながら、本実施の形態では、第１の受熱部１６に導かれる液状冷媒の温度が受熱ケーシング２０に伝わる第１の発熱体１０の温度よりも低くなるように、液状冷媒の単位時間当たりの流量を決定している。
【００７１】
この結果、液状冷媒と受熱ケーシング２０との間の温度差が確保され、液状冷媒が冷媒流路２２を流れる時に、この液状冷媒で受熱ケーシング２０に伝わる第１の発熱体１０の熱を奪うことができる。
【００７２】
冷媒流路２２を通過した液状冷媒は、流出口２４から第３のチューブ９３を介してラジエータ６５の流入タンク６８に送られる。流入タンク６８に戻された液状冷媒は、第１の水管７１を通ってリザーブタンク７０に導かれるとともに、ここから第２の水管７２を通って流出タンク６９に送られる。この流れの過程で、液状冷媒に吸収された第１および第２の発熱体１０，１１の熱が第１および第２の水管７１，７２やフィン７３に伝わる。
【００７３】
放熱ユニット１８の軸流ファン６６は、例えば液状冷媒の温度が予め決められた値に達した時に運転を開始する。これにより羽根車８２が回転し、筐体２の外の空気が吸気孔７９から筐体２内に吸い込まれる。この空気は、冷却風となって第１および第２の水管７１，７２の間を通り抜け、第１および第２の水管７１，７２やフィン７３を強制的に冷やす。この結果、第１および第２の水管７１，７２やフィン７３に伝えられた熱の多くが冷却風の流れに乗じて持ち去られる。
【００７４】
ラジエータ６５での熱交換により冷やされた液状冷媒は、流出タンク６９から第１のチューブ９１を介して熱交換型ポンプ３０のポンプ室４２に導かれる。この液状冷媒は、ポンプケーシング３１の熱を奪いながら羽根車４４の回転により加圧されて、第１の受熱部１６の冷媒流路２２に向けて送り出される。
【００７５】
よって、液状冷媒は、ラジエータ６５、第２の受熱部１７、第１の受熱部１６の間で繰り返し循環し、この循環により第１および第２の発熱体１０，１１の熱がラジエータ６５に移送される。
【００７６】
このような第１の実施の形態によれば、筐体２の外の空気でラジエータ６５を直接冷却することができ、ラジエータ６５の冷却効率が向上する。
【００７７】
それとともに、液状冷媒の熱を受けるラジエータ６５が吸気孔７９を通じて筐体２の外に露出するので、ラジエータ６５からの輻射熱の一部を吸気孔７９から筐体２の外に直接放出できる。このため、ラジエータ６５の熱が筐体２の内部に籠もり難くなり、ラジエータ６５の雰囲気温度を低く抑えてラジエータ６５の冷却性能を高めることができる。
【００７８】
しかも、ラジエータ６５を冷却した後、軸流ファン６６から吐き出される冷却風は、筐体２の内部の吐出領域８５を通って排気孔８４から筐体２の外に排出される。このため、筐体２内の通気性が良好となる。特に、第１および第２の発熱体１０，１１、第１および第２の受熱部１６，１７は、筐体２内の吐出領域８５に位置するので、この吐出領域８５を流れる冷却風を利用して第１および第２の発熱体１０，１１、第１および第２の受熱部１６，１７を冷却することができる。
【００７９】
この結果、第１および第２の発熱体１０，１１、第１および第２の受熱部１６，１７の熱が筐体２の内部に籠もり難くなり、筐体２の内部の温度上昇を防止することができる。
【００８０】
さらに、吸気孔７９は、筐体２の内側からラジエータ６５で覆われるので、軸流ファン６６の運転音をラジエータ６５で遮ることができる。加えて、軸流ファン６６はラジエータ６５よりも冷却風の流れ方向に上流に位置するので、ラジエータ６５に軸流ファン６６からの冷却風が吹き付けられることはない。
【００８１】
この結果、冷却風がラジエータ６５を通過する時の風きり音が小さくなる。よって、軸流ファン６６の運転音が吸気孔７９から漏れ難くなることと合わせて、軸流ファン６６の運転時に生じる騒音を低く抑えることができる。
【００８２】
上記第１の実施の形態では、熱交換型ポンプ３０およびラジエータ６５に夫々気液分離機能を備えたリザーブタンク４３，７０が設けられている。このため、第１ないし第３のチューブ９１〜９３を透過して液状冷媒に混入する気泡のような気体成分を、液状冷媒が循環する経路の二箇所で分離除去することができる。
【００８３】
特に、二つのリザーブタンク４３，７０は、熱交換型ポンプ３０のポンプ室４２の上流において直列の位置関係を保って並んでいる。したがって、ポンプ室４２に流れ込む液状冷媒から熱伝達の妨げとなる気泡を確実に排除することができ、最も高温となる第２の発熱体１１の冷却効率を高めることができる。
【００８４】
なお、本発明は上記第１の実施の形態に特定されるものではない。図１１は、本発明の第２の実施の形態を開示している。
【００８５】
この第２の実施の形態は、ラジエータ６５のリザーブタンク７０の内部構造が上記第１の実施の形態と相違している。それ以外のラジエータ６５の構成は第１の実施の形態と同様である。
【００８６】
図１１に示すように、リザーブタンク７０の内部は、バッフルプレート１００によって第１の室１０１と第２の室１０２とに仕切られている。バッフルプレート１００は、ラジエータ６５のアッパプレート７５にリザーブタンク７０と一緒にろう付けされている。
【００８７】
アッパプレート７５は、バッフルプレート１００と協働して上記第１の室１０１を規定している。アッパプレート７５に気液分離手段としての仕切り板１０３が固定されている。仕切り板１０３は、第１の室１０１を冷媒流入領域１０４と冷媒流出領域１０５とに仕切っている。
【００８８】
ラジエータ６５の第１の水管７１の上端は、冷媒流入領域１０４に開口している。第１の水管７１の上端は、冷媒流入領域１０４に貯えられる液状冷媒の液面下に位置している。ラジエータ６５の第２の水管７２の上端は、冷媒流出領域１０５に開口している。第２の管７２の上端は、冷媒流出領域１０５に貯えられる液状冷媒の液面下に位置している。
【００８９】
バッフルプレート１００は、仕切り板１０３に対応する位置に開口部１０６を有している。仕切り板１０３の上端は、開口部１０６を貫通して第２の室１０２内に僅かに突出している。このため、第１の室１０１の冷媒流入領域１０４は、開口部１０６および第２の室１０２を介して冷媒流出領域１０５に連なっている。
【００９０】
第１の受熱部１６からラジエータ６５に戻る液状冷媒は、流入タンク６８から第１の水管７１を介してリザーブタンク７０の冷媒流入領域１０４に吐き出される。冷媒流入領域１０４内の液状冷媒は、図１１に矢印Ａで示すように、開口部１０６に入り込むとともに仕切り板１０３をオーバフローすることで冷媒流出領域１０５に流出する。
【００９１】
このような構成によると、冷媒流入領域１０４に貯えられた液状冷媒が仕切り板１０３をオーバフローする時に、この液状冷媒に含まれる気泡のような気体成分が液状冷媒から分離し、第２の室１０２に放出される。そのため、ラジエータ６５の第２の室１０２は、空気溜まり１０７として機能する。
【００９２】
なお、第１および第２の水管７１，７２が水平となるようにラジエータ６５を横置きの姿勢で設置する場合は、第２の水管７２が１の水管７１の下方に位置するようにラジエータ６５の姿勢を規定する。これにより、図１１に二点鎖線で示すように、リザーブタンク７０内の液状冷媒の液面Ｌ３よりも下方に第２の水管７２の端部が位置するとともに、液面Ｌ３の上に仕切り板１０３が位置する。
【００９３】
このため、第１の水管７１から冷媒流入領域１０４に吐き出される液状冷媒は、仕切り板１０３をガイドとして開口部１０６から第２の室１０２を経由して冷媒流出領域１０５に流れ込む。
【００９４】
よって、ラジエータ６５が縦置きおよび横置きのいずれにおいても、リザーブタンク７０に戻る液状冷媒の中から熱伝達の妨げとなる気体成分を確実に排除することができ、最も高温となる第２の発熱体１１の冷却効率を高めることができる。
【００９５】
図１２ないし図１４は、本発明の第３の実施の形態を開示している。
【００９６】
第３の実施の形態では、第３の発熱体２００と、この第３の発熱体２００よりも発熱量の大きい第４の発熱体２０１がプリント回路基板８の第１の面８ａに実装されている。さらに、筐体２は、第３および第４の発熱体２００，２０１を冷却する液冷式の他の冷却装置２０２を収容している。
【００９７】
第３および第４の発熱体２００，２０１は、例えば半導体パッケージのような電子部品であって、第１および第２の発熱体１０，１１よりも前方に位置している。第３の発熱体２００よりも発熱量が大きい第４の発熱体２０１は、第３の発熱体２００の下方に位置している。
【００９８】
他の冷却装置２０２は、第１の受熱部２０３、第２の受熱部２０４、放熱ユニット２０５および循環経路２０６を備えている。第１の受熱部２０３、第２の受熱部２０４、放熱ユニット２０５および循環経路２０６は、夫々第１の実施の形態の第１の受熱部１６、第２の受熱部１７、放熱ユニット１８および循環経路１９に対応するものであり、その構成は第１の実施の形態と基本的に同一である。
【００９９】
したがって、第１の受熱部２０３、第２の受熱部２０４、放熱ユニット２０５および循環経路２０６の各構成要素については、第１の実施の形態と同一の参照符号を付して、その説明を省略する。
【０１００】
図１３に示すように、第１の受熱部２０３は、第３の発熱体２００を覆うようにプリント回路基板８に保持されるとともに、第３の発熱体２００に熱的に接続されている。同様に熱交換型ポンプ３０を内蔵する第２の受熱部２０４は、第４の発熱体２０１を覆うようにプリント回路基板８に保持されて、第４の発熱体２０１に熱的に接続されている。
【０１０１】
放熱ユニット２０５は、筐体２の前端下部に配置されている。図１４に示すように、第３の実施の形態では二つの放熱ユニット１８，２０５が筐体２の幅方向に並んでおり、これら放熱ユニット１８，２０５の間にプリント回路基板８の前端部が入り込んでいる。
【０１０２】
図１３に示すように、放熱ユニット２０５においても、ラジエータ６５は前壁５に開けた複数の吸気孔７９と向かい合い、吸気孔７９を筐体２の内側から覆っている。さらに、軸流ファン６６は、ラジエータ６５の背後に設置されて、ラジエータ６５よりも筐体２の内側に入り込んでいる。このため、放熱ユニット２０５のラジエータ６５は、吸気孔７９と軸流ファン６６との間に配置されている。
【０１０３】
放熱ユニット２０５のラジエータ６５で冷やされた液状冷媒は、最初に第２の受熱部２０４の熱交換型ポンプ３０に導かれ、ここで第４の発熱体２０１の熱を吸収した後に第１の受熱部２０３に導かれる。第１の受熱部２０３に導かれた液状冷媒は、第３の発熱体２００の熱を吸収した後、ラジエータ６５に戻り、ここで冷却風との熱交換により冷やされる。
【０１０４】
図１３に示すように、発熱量の大きい第４の発熱体２０１に熱的に接続された第２の受熱部２０４は、軸流ファン６６の背後に位置している。このため、第２の受熱部２０４は、筐体２内の吐出領域８５に位置し、この吐出領域８５を流れる冷却風に直接晒されるようになっている。
【０１０５】
このような第３の実施の形態によると、二つの放熱ユニット１８，２０５のラジエータ６５の冷却効率を高めつつ、筐体２の内部の温度上昇を防止できる。加えて、軸流ファン６６の運転音が吸気孔７９から漏れ難くなり、軸流ファン６６の運転に伴う騒音を低く抑えることができる。
【０１０６】
図１５および図１６は、本発明の第４の実施の形態を開示している。
【０１０７】
この第４の実施の形態は、冷却装置１５の放熱ユニット１８の構成が上記第１の実施の形態と相違している。それ以外の冷却装置１５の構成は、基本的に上記第１の実施の形態と同様である。このため、第４の実施の形態において、第１の実施の形態と同一の構成部分には同一の参照符号を付して、その説明を省略する。
【０１０８】
図１５および図１６に示すように、放熱ユニット１８は、ラジエータ６５と軸流ファン６６とを一体的に連結するフレーム３０１を有している。ラジエータ６５と軸流ファン６６とは、互いに間隔を存して向かい合っている。ラジエータ６５と軸流ファン６６との間に生じる隙間３０２は、フレーム３０１によって取り囲まれている。
【０１０９】
フレーム３０１は、ラジエータ６５の下方に向けて突出するタンク支持部３０３を有している。タンク支持部３０３は、専用のリザーブタンク３０４を支持している。リザーブタンク３０４は、ラジエータ６５に付属するリザーブタンク７０よりも遥かに大きな内容量を有する横長の箱状であり、ラジエータ６５の真下に位置している。
【０１１０】
このため、本実施の形態では、ラジエータ６５および軸流ファン６６が筐体２の高さ方向に沿う中間部に位置し、ラジエータ６５の下方にリザーブタンク３０４を設置するスペースが確保されている。
【０１１１】
さらに、第１および第２の受熱部１６，１７は、軸流ファン６６の背後に位置している。そのため、第１および第２の受熱部１６，１７は、筐体２の内部に定められる吐出領域８５の略中央部に位置している。
【０１１２】
図１６に示すように、リザーブタンク３０４は、冷媒流入口３０５と冷媒流出口３０６を有している。冷媒流入口３０５は、リザーブタンク３０４の上面の略中央部に設けられている。冷媒流入口３０５は、接続チューブ３０７を介してラジエータ６５の冷媒出口７７に接続されているとともに、リザーブタンク３０４に貯えられた液状冷媒の液面Ｌ４よりも上方に位置している。
【０１１３】
冷媒流出口３０６は、冷媒流入口３０５よりも下方に位置するようにリザーブタンク３０４の側面の略中央部に設けられている。冷媒流出口３０６は、第１のチューブ９１を介して熱交換型ポンプ３０の吸込口５２に接続されている。
【０１１４】
さらに、冷媒流出口３０６は、リザーブタンク３０４内の液状冷媒の液面Ｌ４よりも下方に位置している。そのため、リザーブタンク３０４の上面と液状冷媒の液面Ｌ４との間には、空気溜まり３０８が形成されている。
【０１１５】
このような構成によると、ラジエータ６５で冷やされた液状冷媒は、熱交換型ポンプ３０よりも液状冷媒の流れ方向に沿う上流で冷媒流入口３０５を介してリザーブタンク３０４に流れ込む。リザーブタンク３０４の冷媒流出口３０６は、リザーブタンク３０４に貯えられる液状冷媒の液面Ｌ４の下方に位置している。
【０１１６】
そのため、液状冷媒中にラジエータ６５のリザーブタンク７０で分離しきれなかった気体成分が含まれていたとしても、気体成分は液状冷媒がリザーブタンク３０４内に流入する過程で液状冷媒から分離除去され、空気溜まり３０８に放出される。
【０１１７】
したがって、本実施の形態のリザーブタンク３０４は、ラジエータ６５から熱交換型ポンプ３０に向う液状冷媒から気体成分を分離させる気液分離手段を兼ね備えている。
【０１１８】
さらに、本実施の形態によると、ラジエータ６５から熱交換型ポンプ３０のポンプ室４２に至る液状冷媒の流れ経路に気液分離機能を有する三つのリザーブタンク７０，３０４，４３が直列に介在されている。このため、ポンプ室４２で第２の発熱体１１の熱を受ける液状冷媒から熱伝達の妨げとなる気体成分を確実に排除でき、最も高温となる第２の発熱体１１の冷却効率を高めることができる。
【０１１９】
なお、ラジエータ６５を横置きの姿勢で設置した場合でも、リザーブタンク３０４の冷媒流出口３０６は、図１４に二点鎖線で示す液状冷媒の液面Ｌ５や冷媒流入口３０５よりも下方に位置する。したがって、液状冷媒に含まれる気体成分は、液状冷媒がリザーブタンク３０４内に流入する過程で液状冷媒から分離除去される。
【０１２０】
よって、ラジエータ６５が縦置きおよび横置きのいずれにおいても、熱伝達の妨げとなる気体成分を液状冷媒から確実に排除することができる。
【０１２１】
加えて、第４の実施の形態によると、ラジエータ６５と軸流ファン６６との間に隙間３０２が形成されているので、軸流ファン６６は隙間３０２内の空気を吸い込むことになる。このため、ラジエータ６５と軸流ファン６６とが密着している場合との比較において、軸流ファン６６が動作した時の吸気抵抗を少なく抑えることができ、ラジエータ６５から風きり音が発生し難くなる。
【０１２２】
図１７は、本発明の第５の実施の形態を開示している。
【０１２３】
第５の実施の形態は、第１の発熱体１０よりも発熱量の大きい第２の発熱体１１のみを液状冷媒を介して強制的に冷却するようにした点が上記第４の実施の形態と相違している。それ以外のコンピュータ１の構成は、基本的に第４の実施の形態と同様である。このため、第５の実施の形態において、第４の実施の形態と同一の構成部分には同一の参照符号を付して、その説明を省略する。
【０１２４】
図１７に示すように、第２の発熱体１１に第２の受熱部１７が熱的に接続されている。第２の受熱部１７の吐出口５３は、第２のチューブ９２を介してラジエータ６５の冷媒入口７６に接続されている。
【０１２５】
第５の実施の形態では、第２の発熱体１１よりも発熱量が小さい第１の発熱体１０は、軸流ファン６６から排気孔８４に至る吐出領域８５に位置している。このため、第１の発熱体１０は、吐出領域８５を流れる冷却風によって強制的に冷やされる。
【０１２６】
さらに、プリント回路基板８の第１の面８ａに複数の発熱する電子部品４００が実装されている。電子部品４００は、冷却風が流れる吐出領域８５から外れているとともに、ヒートパイプ９６の受熱端部９６ａの近傍に位置している。
【０１２７】
電子部品４００が発熱すると、電子部品４００の熱は、プリント回路基板８を経由してヒートパイプ９６に伝わる。この結果、ヒートパイプ９６の熱移送作用により電子部品４００の熱が放熱フィン９７に移送されるとともに、放熱フィン９７の表面から吐出領域８５を流れる冷却風の流れに乗じて放出される。
【０１２８】
したがって、吐出領域８５から外れた電子部品４００の熱を、吐出領域８５に移してここから積極的に放出することができる。よって、筐体２の内部に回路部品４００の熱が籠もり難くなり、筐体２の内部温度の上昇を防止できる。
【０１２９】
なお、本発明は上記実施の形態に特定されるものではなく、発明の主旨を逸脱しない範囲内で種々変更して実施可能である。
【０１３０】
例えば、上記各実施の形態では、発熱体の熱を受ける受熱部に熱交換型ポンプを一体的に組み込んでいる。しかしながら、本発明はこれに限らず、液状冷媒を加圧するポンプと受熱部とを互いに切り離してもよい。
【図面の簡単な説明】
【０１３１】
【図１】本発明の第１の実施の形態に係る電子機器の斜視図。
【図２】本発明の第１の実施の形態に係る電子機器の断面図。
【図３】本発明の第１の実施の形態において、第１の発熱体に熱的に接続される第１の受熱部の断面図。
【図４】本発明の第１の実施の形態において、熱交換型ポンプと第２の発熱体とを熱的に接続した状態を示す断面図。
【図５】本発明の第１の実施の形態において、ケーシング本体と受熱カバーとを互いに分離した状態を示す熱交換型ポンプの斜視図。
【図６】本発明の第１の実施の形態において、ポンプ室に羽根車を収容した状態を示すケーシング本体の平面図。
【図７】本発明の第１の実施の形態に係るケーシング本体の斜視図。
【図８】本発明の第１の実施の形態に用いるラジエータの正面図。
【図９】本発明の第１の実施の形態において、ラジエータコアとリザーブタンクとの位置関係を示すラジエータの断面図。
【図１０】本発明の第１の実施の形態において、プリント配線板から吐出領域に張り出す補助冷却装置の正面図。
【図１１】本発明の第２の実施の形態において、ラジエータコアとリザーブタンクとの位置関係を示すラジエータの断面図。
【図１２】本発明の第３の実施の形態に係る電子機器の斜視図。
【図１３】本発明の第３の実施の形態に係る電子機器の断面図。
【図１４】本発明の第３の実施の形態において、二つのラジエータの位置関係を示す正面図。
【図１５】本発明の第４の実施の形態に係る電子機器の断面図。
【図１６】本発明の第４の実施の形態に係る放熱ユニットの正面図。
【図１７】本発明の第５の実施の形態に係る電子機器の断面図。
【符号の説明】
【０１３２】
２…筐体、１０，１１，２００，２０１…発熱体（第１〜第４の発熱体）、１６，１７，２０３，２０４…受熱部（第１の受熱部、第２の受熱部）、１９…循環経路、６５…放熱部（ラジエータ）、６６…ファン（軸流ファン）、７９…吸気孔、８４…排気孔、８５…吐出領域。
【図１】
2007094648.tif 000003
【図２】
2007094648.tif 000004
【図３】
2007094648.tif 000005
【図４】
2007094648.tif 000006
【図５】
2007094648.tif 000007
【図６】
2007094648.tif 000008
【図７】
2007094648.tif 000009
【図８】
2007094648.tif 000010
【図９】
2007094648.tif 000011
【図１０】
2007094648.tif 000012
【図１１】
2007094648.tif 000013
【図１２】
2007094648.tif 000014
【図１３】
2007094648.tif 000015
【図１４】
2007094648.tif 000016
【図１５】
2007094648.tif 000017
【図１６】
2007094648.tif 000018
【図１７】
2007094648.tif 000019